【事件の表示】
　特願２０１２−　９８６６９「携帯端末及びプログラム」拒絶査定不服審判事件〔平成２４年　８月２３日出願公開、特開２０１２−１６０２０４〕について、次のとおり審決する。
【結　論】
　本件審判の請求は、成り立たない。
【理　由】
１．手続の経緯
　
　本願は、平成１８年２月８日に出願した特願２００６−３１４４３号の一部を平成２４年４月２４日に新たな特許出願としたものであって、平成２６年３月１７日付けで拒絶査定がなされ、これに対して同年６月２５日に拒絶査定不服審判の請求がなされたものである。
　
２．本願発明
　
　本願の請求項１に係る発明（以下、「本願発明」という。）は、平成２５年１２月２６日付け手続補正書の特許請求の範囲の請求項１に記載された、次のとおりのものと認める。
　
「【請求項１】
　カメラから入力された判定対象物の移動軌跡に関連付けられた動作を実行するカメラ入力インタフェースを備える携帯端末であって、
　前記判定対象物の移動軌跡と該移動軌跡に関連付けられた動作との対応関係を示す操作ガイダンス情報を出力する手段と、
　入力を受け付けた前記判定対象物の移動軌跡をディスプレイの表示内容に重ねるように描画する手段と、を備え、
　前記カメラが起動された状態で、前記カメラを利用した遠隔動作モードへの移行指示を受け付けることにより、前記判定対象物の移動軌跡による入力モードを開始し、
　所定の判定対象物の移動軌跡を入力することにより、前記判定対象物の移動軌跡による入力モードを終了すること、
　を特徴とする携帯端末。」
　
　
３．引用発明
　
（１）引用例１
　原査定の拒絶の理由に引用された、本願出願前に頒布された刊行物である特開２００２−２９０５２９号公報（以下、「引用例１」という。）には、図面とともに以下の記載がある。　
　
ア．「【０００１】
【発明の属する技術分野】本発明は、例えば携帯電話に代表される携帯通信端末、携帯通信端末やパーソナルコンピュータ等に用いられる情報表示装置、およびそれを用いた入力装置等に関する。」（３頁３欄）
　
イ．「【００１１】本発明は、このような課題に鑑みてなされたもので、表示部を見ながら同時に制御のための入力を行うことが可能な、操作性にすぐれた携帯通信端末等を提供する事を目的とする。
【００１２】また、本発明は、操作者の動作によって制御のための入力がより簡単に行なえるコンパクトな情報表示装置およびそれを用いた制御入力装置等を提供することを目的とする。」（３頁４欄〜４頁５欄）
　
ウ．「【００６４】（実施の形態３）図６（ａ）は本発明の実施の形態３における携帯通信端末の使用状態での斜視図であり、図６（ｂ）は不使用状態の斜視図である。図に示すように、携帯通信端末６００は折り畳み可能に接続された撮像本体部６１０と表示部６２０とを備え、撮像本体部６１０において、ＣＣＤカメラ６１１は操作者の指の動きなどを撮像する手段であり、アンテナ６１２は外部と電波により通信を行うための手段である。表示部６２０において、液晶ディスプレイ６２１は各種の情報表示を行う手段、外部インタフェース６２３は、外部の機器と接続し、情報の授受を行うための手段である。」（７頁１１〜１２欄）　
　
エ．「【００６５】また、図７は本実施の形態による携帯通信端末の内部構成図である。図７に示すように、画像処理手段７０１はＣＣＤカメラ６１１が撮像した画像に所定の処理を施す手段、位置検出手段７０２は、画像処理手段７０１により処理された画像が、液晶ディスプレイの表示画面上における位置を検出する手段、制御手段７０３は、位置検出手段７０２が検出した位置に応じて、ポインタを生成し、これを液晶ディスプレイ６２１の表示画面に重ね合わせ表示させる手段、入力手段７０４は、外部インタフェース６２３から制御出力を出力する手段である。送信処理手段７０６は、携帯通信端末６００がアンテナ６１２を介して出力する信号を処理する手段、受信処理手段７０７は、携帯通信端末６００がアンテナ６１２を介して受信した信号を処理する手段、また、位置検出手段７０２は、所定の位置の動きのパターンを認識する映像パターン認識手段７０５を有している。」（７頁１２欄）
　
オ．「【００６９】図９（ａ）（ｂ）は、本実施の形態の携帯通信端末が認識する手の形状の一例であり、液晶ディスプレイ６２１の表示面９００上に、人差し指９０１を突き出した形状（形状Ａ）であって、指先の周囲がオーバーラップ領域９０２にて示されている。
【００７０】また、図９（ｂ）は、本実施の形態の携帯通信端末が認識する手の形状の他の一例であり、液晶ディスプレイ６２１の表示面９００上に、人差し指および親指を突き出した形状（形状Ｂ）であって、人差し指の指先９０１に加え、親指９０３の周囲がそれぞれオーバーラップ領域９０２、および９０３にて示されている。」（７頁１２〜８頁１３欄）
　
カ．「【００７１】ここで、図９における指先のオーバーラップをさせる動作を、図７および図９を用いて説明する。はじめに、ＣＣＤカメラ６１１が人差し指９０１を撮像すると、その撮像された画像は画像処理手段７０１にて画像処理され、人差し指９０１の輪郭が抽出される。
【００７２】次いで輪郭が処理された画像は、位置検出手段７０２にて、その先端部が特定されるとともに、液晶ディスプレイ６２１の表示面９００上のどの位置にあるかが検出される。このとき、先端部の特定は、あらかじめ所定の画像パターンを設定しておき、これと照合するようにして求めてもよいし、輪郭の曲線を演算して求めるようにしてもよい。また、ＣＣＤカメラ６１１の焦点距離を、例えば３０ｃｍ程度とすることにより、撮像対象の背景の影響を少なくすることができる。
【００７３】次に、制御手段７０３は、位置検出手段７０２にて検出された先端部の位置は、オーバーバーラップ領域として設定し、液晶ディスプレイ６２１にて、ＣＣＤカメラ１が撮像している表示面と重ね合わせて表示される。」（８頁１３欄）
　
キ．「【００７４】本実施の形態は、このような、液晶ディスプレイ６２１の表示面９００上にて利用者の指先を特定して表示することにより、これを外部インタフェース６２３またはアンテナ６１２から受信処理手段７０７を介して入力した、外部機器やネットワーク／サーバのＧＵＩ（グラフィカル・ユーザ・インタフェース）等のインタフェースを組み合わせることにより、利用者の指の動きで、外部インタフェース６２３に接続された機器や、送信処理手段７０６の無線通信の相手となる機器に対する制御入力を生成することが可能となる。以下、本発明の制御入力方法の一例としての、上記制御入力を生成する動作について、図１０〜図１３を用いて説明する。」（８頁１３欄）
ク．「【００７５】図１０（ａ）は、本実施の形態におけるカーソル移動を指示する、指先のジェスチャーを示す図であり、形状Ａの手を左から右に移動させることで、オーバーラップ領域９０２を、図１０（ｂ）に示すように、外部インタフェース６２３にて接続された外部機器のＧＵＩ画面上に示されたカーソル１００１として、液晶ディスプレイ６２１の表示面９００上に重ね合わせられた、外部機器のＧＵＩ画面の右方向に移動させることができる。」（８頁１３欄）
　
ケ．「【００７６】次に、利用者は、手の形状を形状Ａから形状Ｂへと変化させることにより、制御入力を行うことができる。このとき、位置検出手段７０２は、位置検出手段７０２内に設けられた映像パターン登録手段７０５を参照して、形状Ａから形状Ｂへの利用者の手の形状の変化に相当する映像パターンがあるかどうかを検索する。そして、図９（ｂ）に示すオーバーラップ領域が、一つ（９０２）から二つ（９０２，９０４）に変化したパターンと同一のパターンを見いだすと、入力手段７０４が、このパターンに対応づけられた制御入力を生成し、外部インタフェースおよび制御手段７０３へ出力する。今回の場合、形状Ａから形状Ｂへの手の形状の変化を、制御入力としてオブジェクトの指定動作と対応づけることにより、人差し指９０１により、先に、液晶ディスプレイ６２１の表示面９００上に重ね合わせられたＧＵＩ画面上にて示されているオブジェクトを指定することが可能となる。」（８頁１４欄）
　
コ．「【００７７】また、図９（ｃ）に示すように、形状Ｂの状態を保ったまま、利用者がその手を左から右に移動させることで、図９（ｄ）に示すように、オーバーラップ領域９０２を、液晶ディスプレイ１の表示面９００上に示された、ドラッグ状態のカーソルとして、オブジェクト１００２を、液晶ディスプレイ６２１の表示面９００上に重ね合わせられた、ＧＵＩ画面上の右方向に移動させることができる。」（８頁１４欄）
　　
サ．「【００７８】このような、利用者の手の動きの変化は、予め映像パターン登録手段７０５に設定しておくことにより、さらに複雑な制御入力を設定することができる。例えば、図１１（ａ）〜（ｃ）に示すような、形状Ａ−形状Ｂ−形状Ａといった変化をマウスのシングルクリック、、図１２（ａ）〜（ｅ）に示すような、形状Ａ−形状Ｂ−形状Ａ−形状Ｂ−形状Ａといった変化をマウスのダブルクリックに、それぞれ相当するような動作と設定することができる。」（８頁１４欄）
　
シ．「【００８０】また、本実施の形態は、マウスのような動作ばかりでなく、アプレットのような手書き入力や、キーボードやテンキー入力を行わせるようにしてもよい。例えば、図１３（ａ）（ｂ）に示すように、外部インタフェース６２３の機器がグラフィックソフトを稼働させているような場合、その表示面は線画入力を受け付けることができるので、映像パターン登録手段７０５に、先に示した形状Ｂの手の形を線画入力であると設定しておけば、利用者が形状Ｂの手の形を右に動かすだけで、液晶ディスプレイ６２１の表示面９００上に重ね合わせられたグラフィックソフトの表示面には、手書き線１３０１が入力される。」（８頁１４欄〜９頁１５欄）
　
ス．「【００８３】なお、上記の実施の形態においては、液晶ディスプレイ６２１には、外部インタフェース６２３を介して接続された外部機器のＧＵＩが重ね合わせて入力されるものとして説明を行ったが、本発明の情報表示装置および情報入力装置を備えた携帯通信端末６００自体が独立した機器として動作するものであってもよい。例えば、実施の形態１の携帯電話１００に、本発明の情報入力装置を搭載することにより、携帯電話１００から制御入力としてのポインティングデバイス１１６を省いた構成を実現することができる。このとき、受信処理手段と送信処理手段とは、携帯電話機としての通話機能が実現できるようにするのが望ましい。また、本実施の形態は実施の形態２の携帯電話とも組み合わせてよいことは言うまでもない。
【００８４】また、上記の実施の形態においては、携帯通信端末６００は、外部インタフェース６２３、またはアンテナ６１２，送信処理手段７０６、受信処理手段７０７を用いて、外部に接続した機器から得た情報を液晶ディスプレイ６２１に表示したり、入力手段７０４に、操作者の動作に基づく制御入力を行い、前記外部に接続した機器を制御するための出力を行うようにしたが、本発明の情報表示装置および情報入力装置は、必ずしも外部の機器と通信して情報の授受をやりとりする必要はない。すなわち、本発明の送信処理手段および受信処理手段は、本発明の撮像手段、画像処理手段、位置検出手段、表示手段、制御手段にて扱われる、所定の情報を含む情報を処理する必要はない。
【００８５】例えば、携帯通信端末６００において、外部インタフェース６２３を省略して、アンテナ６１２，送信処理手段７０６、受信処理手段７０７は、携帯電話の機能のみに特化したものも本発明に含まれる。この場合、本発明の情報表示装置および情報入力装置は、携帯通信端末６００を、スタンドアローンな情報処理装置として用いる際の、ユーザ用インタフェースとして用いられていることになる。」（９頁１５〜１６欄）
　
　上記引用例１の記載及び図面並びにこの分野の技術常識を考慮し、段落【００８５】でいう「スタンドアローンな情報処理装置」とされる場合に着目すると、次のことがいえる。
　
ａ．上記ウ．、及び図６の記載によれば、携帯通信端末６００は折り畳み可能に接続された撮像本体部６１０と表示部６２０とを備え、撮像本体部６１０において、ＣＣＤカメラ６１１は操作者の指の動きなどを撮像する手段であり、さらに、表示部６２０において、液晶ディスプレイ６２１は各種の情報表示を行う手段である。
　したがって、引用例１には、操作者の手を撮像する手段であるＣＣＤカメラからなる撮像本体部と、各種の情報表示を行う液晶ディスプレイからなる表示部とを備えた携帯通信端末が記載されているといえる。　
　
ｂ．上記エ．カ．、及び図７の記載によれば、携帯通信端末は、ＣＣＤカメラ６１１が撮像した操作者の手の画像に所定の処理を施す画像処理手段７０１、画像処理手段７０１により処理された画像から、操作者の指の先端部の液晶ディスプレイの表示画面上における位置を検出する位置検出手段７０２、位置検出手段７０２が検出した位置に応じて、ポインタを生成し、これを液晶ディスプレイ６２１の表示画面に重ね合わせ表示させる制御手段７０３、を有している。
　また、上記カ．の段落【００７３】の記載によれば、制御手段７０３は、位置検出手段７０２にて検出された先端部の位置を、オーバーラップ領域として設定し、液晶ディスプレイ６２１に重ね合わせて表示していることから、上記「ポインタ」がオーバーラップ領域と認められる。
　したがって、引用例１には、ＣＣＤカメラが撮像した操作者の手の画像に所定の処理を施す画像処理手段と、画像処理手段により処理された画像から、操作者の指の先端部の前記液晶ディスプレイの表示画面上における位置を検出し、その位置の動きのパターンを認識する位置検出手段、位置検出手段が検出した前記位置に応じて、オーバーラップ領域を生成し、これを前記液晶ディスプレイの表示画面に重ね合わせ表示させる制御手段、を備えることが記載されているといえる。
　
ｃ．上記オ．カ．及び図９の記載によれば、ＣＣＤカメラで撮像される人差し指９０１を突き出した形状（形状Ａ）は、液晶ディスプレイ６２１の表示面９００上に、指先の周囲がオーバーラップ領域９０２にて表示され、また、ＣＣＤカメラで撮像される人差し指および親指を突き出した形状（形状Ｂ）は、液晶ディスプレイ６２１の表示面９００上に、人差し指の指先９０１に加え、親指９０３の周囲がそれぞれオーバーラップ領域９０２、および９０４にて表示されている。
（但し、段落【００７０】に記載される「親指９０３の周囲がそれぞれオーバーラップ領域９０２、および９０３」は、図９（ｂ）を参照すると、「親指９０３の周囲がそれぞれオーバーラップ領域９０２、および９０４」の誤記と認められる。）
　したがって、引用例１には、前記ＣＣＤカメラで撮像される人差し指を突き出した手の形状（形状Ａ）は、液晶ディスプレイの表示面上に、指先の周囲がオーバーラップ領域９０２にて表示され、また、前記ＣＣＤカメラで撮像される人差し指および親指を突き出した手の形状（形状Ｂ）は、液晶ディスプレイの表示面上に、人差し指の指先に加え、親指の周囲がそれぞれオーバーラップ領域９０２、および９０４にて表示されることが記載されているといえる。
　
ｄ．段落【００８５】に記載されるように、外部インタフェース６２３を省略し、携帯通信端末６００をスタンドアローンな情報処理装置として用いる際には、上記位置検出手段により認識される位置の動きのパターンは、当然に、携帯通信端末の動作に関連付けられ、携帯通信端末はその動作を実行するものと認められる。
　したがって、引用例１には、記位置検出手段が認識した前記位置の動きのパターンに関連付けられた動作を実行することが記載されているといえる。
　
　
　上記引用例１の記載事項及び図面を総合勘案すると、引用例１には、次の発明（以下、「引用発明１」という。）が開示されていると認められる。
　
「操作者の手を撮像する手段であるＣＣＤカメラからなる撮像本体部と、各種の情報表示を行う液晶ディスプレイからなる表示部とを備えた携帯通信端末であって、
　前記ＣＣＤカメラが撮像した操作者の手の画像に所定の処理を施す画像処理手段と、
　前記画像処理手段により処理された画像から、前記操作者の指の先端部の前記液晶ディスプレイの表示画面上における位置を検出し、その位置の動きのパターンを認識する位置検出手段と、
　前記位置検出手段が検出した前記位置に応じて、オーバーラップ領域を生成し、これを前記液晶ディスプレイの表示画面に重ね合わせ表示させる制御手段と、
　を備え、
　前記ＣＣＤカメラで撮像される人差し指を突き出した手の形状（形状Ａ）は、液晶ディスプレイの表示面上に、指先の周囲がオーバーラップ領域９０２にて表示され、また、前記ＣＣＤカメラで撮像される人差し指および親指を突き出した手の形状（形状Ｂ）は、液晶ディスプレイの表示面上に、人差し指の指先に加え、親指の周囲がそれぞれオーバーラップ領域９０２、および９０４にて表示され、
　前記位置検出手段が認識した前記位置の動きのパターンに関連付けられた動作を実行する、
　携帯通信端末。」
　　
 　
（２）引用例２
　同じく、原査定の拒絶の理由に引用された、本願出願前に頒布された刊行物である特開２００５−３８３０６号公報（以下、「引用例２」という。）には、図面とともに以下の記載がある。
　
ア．「【特許請求の範囲】
【請求項１】
　ユーザが所定の入力パターンを描画入力するための入力手段と、
　所定の登録パターンと、この登録パターンに割り当てられた制御信号とを記憶する記憶手段と、
　上記入力パターンと上記登録パターンとのマッチングを判別するマッチング判定手段と、
　このマッチング判定に関する所定の情報を表示する表示手段と
を有し、
　上記マッチング判定手段は、上記入力パターンの描画入力中において、判別された登録パターンに基づいて描画入力の教示情報を上記表示手段に表示させるとともに、
　上記入力パターンの描画入力の完了時において、判別された登録パターンに割り当てられた制御信号を出力する
　ようにした描画パターン認識装置。
　
　　　・・・＜中略＞・・・
　
【請求項５】
　請求項１から請求項４までのいずれかの請求項に記載の描画パターン認識装置において、
　上記表示手段は、さらに上記入力パターンを表示するとともに、
　上記教示情報と上記入力パターンとを異なる表示形式で表示する
　ようにした描画パターン認識装置。」（１頁１−３５行）
　
イ．「【発明の効果】
【００１１】
　この発明によれば、ユーザの入力した軌跡をリアルタイムで画面に表示することができる。また、ユーザが入力しようとしているパターンを、入力途中の軌跡から予測することにより望ましい軌跡を表示してユーザにフィードバックすることができる。」（４頁４７行−５頁１行）
　
ウ．「【００１３】
　(1) 映像表示システムの全体の構成例
　図１は、この発明を適用した映像表示システムの一例を全体として示す。すなわち、この映像表示システムは、ベース装置（ベースステーション）１００と、大画面表示装置２００と、可搬型表示装置３００とから構成される。ベース装置１００には、内蔵のチューナ回路、ＤＶＤプレーヤなどの外部映像機器、ネットワークなどを通じて各種のビデオ信号およびオーディオ信号が供給される。
　
　　・・・＜中略＞・・・
　
【００１６】
　さらに、可搬型表示装置３００は、その表示部が例えばＬＣＤ３０５により構成されるとともに、スピーカ３０７を内蔵している。また、可搬型表示装置３００は、その電源は内蔵の充電式電池（図示せず）とされるとともに、ベース装置１００から出力されるビデオ信号およびオーディオ信号は、無線により可搬型表示装置３００に供給される。
【００１７】
　さらに、可搬型表示装置３００はベース装置１００をリモコン（遠隔操作）するための送信機としての機能も有する。このため、可搬型表示装置３００の表示画面にはタッチパネルが積層され、リモコン時には、指やタッチペンなどにより可搬型表示装置３００のタッチパネル（表示画面）に所定のパターン（文字や記号など）を描くと、そのパターンが認識されて対応するリモコンのコマンド信号が形成され、このコマンド信号がベース装置１００に送信されてベース装置１００の動作モードなどがリモコンされる。なお、ベース装置１００と可搬型表示装置３００との間の信号の送受信は、電波を用いて例えばIEEE802.11方式のプロトコルにより行われる。」（５頁９−３９行）
　
エ．「【００４３】
　(6) 描画されたパターンの認識方法の例
　図４は、タッチパネル３３７に描画されたパターンを認識する方法の一例を示す。すなわち、図４Ａにおいて、曲線ＱUSRはユーザがタッチパネル３３７に指やタッチペンでパターンを描いたときの軌跡を示す。なお、この軌跡ＱUSRが入力されつつあるとき、その入力位置の座標を検出回路３３８により検出し、グラフィックコントロール回路３３６によりＬＣＤ３０５の対応する位置にドットを表示すれば、軌跡ＱUSRがパターンＰRCGとして表示されることになる。また、このパターンＰRCGは、大画面表示装置２００にも表示することができる。
【００４４】
　そして、軌跡ＱUSRが入力されつつあるとき、サンプル点Ｑ1、Ｑ2、・・・、Ｑnを抽出する。このサンプル点Ｑ1〜Ｑnの抽出は、一定の時間ごとに、あるいは一定の距離ごとに行う。
【００４５】
　一方、ベース装置１００に対して用意されているリモコン操作（コマンド）が例えば操作Ａ、Ｂ、Ｃの３種類であり、その操作Ａ〜Ｃに対応するパターンが例えば図４Ｂに示すようなパターンＰA、ＰB、ＰCであるとするとき、このパターンＰA〜ＰCをあらかじめ登録しておく。この登録は、パターンＰA〜ＰCに対してサンプル点Ｒ1、Ｒ2、・・・、Ｒmを抽出することにより実現される。なお、サンプル点Ｒ1〜Ｒmの抽出は、サンプル点Ｑ1〜Ｑnに対する抽出と同じ方法とされる。
【００４６】
　そして、ユーザの入力した軌跡ＱUSRのサンプル点Ｑ1〜Ｑnと、登録パターンＰA〜ＰCのサンプル点Ｒ1〜Ｒmとのマッチングを行い、登録パターンＰA〜ＰCのうち、軌跡ＱUSRにもっともマッチングしたパターンが、軌跡ＱUSRを認識した結果のパターンとされる。
」（８頁４４行−９頁１７行）
　　
　
（３）引用例３ 　
　 同じく、原査定の拒絶の理由に引用された、本願出願前に頒布された刊行物である特開２００１−１４７７６２号公報（以下、「引用例３」という。）には、図面とともに以下の記載がある。
　
ア．「０００１】
【発明の属する技術分野】本発明は、パーソナルコンピュータなどのデータ処理装置における操作を簡便にするための方式に関するものである。」（２頁２欄）　
　
イ．「【００４９】（他の実施の形態）次に、図１３から図１７を参照して、本発明に係る他の実施の形態を説明する。図１３、図１４は、前記ワンタッチ起動ボタン２０とポンテイングパット１０との連携操作の説明図、図１５が操作案内画面ウインドウの表示画面図、図１６、図１７が動作フロー図である。
【００５０】先ず、図１３において、この実施の形態は、前記ワンタッチ起動ボタン２０で起動可能な動作内容を複数個、設定可能にしたものである。この実施の形態では、このポンテイングパット１０に指で描かれた奇跡（ジェスチャ）、例えば、図１３に示す奇跡１５０を圧力または電気的に感知できる機能を備えたポンテイングパット１０を採用する。複教の形状の軌跡（ジェスチャ）を前記ポンテイングパット１０に描くことで、前記ＣＰＵ６３に別の命令として認識させ、複数の機能を実現できる。例えば、左手１５１で前記ワンタッチ起動ボタン２０を押下することで、前記ポンテイングパット１０は軌跡が描かれた形状を検知する待ち受け状態になる。そして右手１５２で前記ポンテイングパット１０上に軌跡１５０を描くことで、その軌跡１５０に対応したアプリケーションまたは機能を動作をさせることができる。
【００５１】しかし、複数の機能を設定した場合、使用者は実行したい機能を動作させるため、どのような図像( ジェスチャ) を描けばよいか、わかりにくい。そこで前記ワンタッチ起動ボタン２０を押下する操作と連動して、機能内容とジェスチャーの形をあらわす図１５に示す操作案内画面ウインドウ１５３を、前記表示部２０１の表示画面１５４に表示させてもよい。使用者は前記操作案内画面ウインドウ１５３と、そこに表示させた機能内容表示１５５ａから１５９ａと軌跡（ジェスチャ）の形状１５５ｂから１５９ｂを見ながらジュスチヤー入力が行え、複数の操作を誤ることなく簡便に行うことができる。１６０は次画面表示スイッチである。これにより、前記ワンタッチ起動ボタン２０に設定されたプログラムやアプリケーションまたは機能が複数個設定されていても、ワンタッチの操作でそれらの１つを選択して起動させ、操作の簡便性を確保することができる。」（７頁１２欄−８頁１３欄）
　
　
４．対比・判断
　
　本願発明と引用発明１とを対比する。
　
ａ．引用発明１でいう「操作者の指の先端部」、「関連付けられた動作」が、それぞれ本願発明の「判定対象物」、及び「関連付けられた動作」に相当し、引用発明１でいう「位置の動きのパターン」と本願発明の「移動軌跡」は共に「判定対象物の動き」とも表現できるから、引用発明１の「携帯通信端末」と、本願発明の「カメラから入力された判定対象物の移動軌跡に関連付けられた動作を実行するカメラ入力インタフェースを備える携帯端末」は、「カメラから入力された判定対象物の動きに関連付けられた動作を実行するカメラ入力インタフェースを備える携帯端末」で共通する。
　
ｂ．引用発明１の「制御手段」は、「位置検出手段が検出した前記位置に応じて、オーバーラップ領域を生成し、これを前記液晶ディスプレイの表示画面に重ね合わせ表示」するものであるから、引用発明１における「前記ＣＣＤカメラで撮像される人差し指を突き出した手の形状（形状Ａ）は、液晶ディスプレイの表示面上に、指先の周囲がオーバーラップ領域９０２にて表示し、また、前記ＣＣＤカメラで撮像される人差し指および親指を突き出した手の形状（形状Ｂ）は、液晶ディスプレイの表示面上に、人差し指の指先に加え、親指の周囲がそれぞれオーバーラップ領域９０２、および９０４にて表示」は「制御手段」が行うものである。
　そして、引用発明１においては、手の形状を「形状Ａ」から「形状Ｂ」へと変化した際に、「液晶ディスプレイの表示面上」では最初に受け付けられた形状Ａが「オーバーラップ領域９０２」として重ね合わせ表示され、次に受け付けられた形状Ｂが「オーバーラップ領域９０２、および９０４」として重ね合わせ表示されるものであるから、引用発明１の「制御手段」と、本願発明の「入力を受け付けた前記判定対象物の移動軌跡をディスプレイの表示内容に重ねるように描画する手段」は、「入力を受け付けた結果をディスプレイの表示内容に重ねるように表示する手段」で共通する。　
　
　そうすると、本願発明と引用発明１とは次の点で一致するものと認められる。
　
（一致点）
　
「カメラから入力された判定対象物の動きに関連付けられた動作を実行するカメラ入力インタフェースを備える携帯端末であって、
　入力を受け付けた結果をディスプレイの表示内容に重ねるように表示する手段と、を備える、
　携帯端末。」
　
　一方、次の各点で相違すると認める。
　
（相違点１）
　携帯端末が実行する動作が関連付けられる判定対象物の動き、及び、ディスプレイに描画される入力を受け付けた結果が、本願発明では、移動軌跡であるのに対して、引用発明１では、手の形状の変化であり、判定対象物の移動軌跡ではない点。
　
（相違点２）本願発明では、判定対象物の動きと該移動軌跡に関連付けられた動作との対応関係を示す操作ガイダンス情報を出力する手段を有するのに対して、引用発明１は、有していない点。
　
（相違点３）本願発明の携帯端末は、「カメラが起動された状態で、前記カメラを利用した遠隔動作モードへの移行指示を受け付けることにより、前記判定対象物の移動軌跡による入力モードを開始」するように動作するものであるのに対して、引用発明１の携帯端末（携帯通信端末）は、そのようなものであるとは限らない（引用例１には、入力モードを切り替えることについての記載がない）点。　
　
（相違点４）本願発明の携帯端末は、「所定の判定対象物の移動軌跡を入力することにより、前記判定対象物の移動軌跡による入力モードを終了する」ように動作するものであるのに対して、引用発明１の携帯端末（携帯通信端末）は、そのようなものであるとは限らない（引用例１には、入力モードを切り替えることについての記載がない）点。　
　
　以下、上記各相違点について検討する。
（相違点１）について
　引用例１の段落【００１１】、【００１２】等の記載に照らせば、引用発明１において、携帯端末が実行する「動作」が関連付けられる「判定対象物の動き」が、携帯端末に対して所要の入力を行うことができるものであればどのようなものでも良いことは明らかであり、引用発明１において、引用例１に図９〜１３、１５に例示されるような動き以外の公知の動きを、携帯端末が実行する「動作」に関連付けるようにすることは、当業者が必要に応じて適宜なし得たことである。
　一方、引用発明１と同様に、「判定対象物の動き」に関連付けられた「動作」を実行するように構成された装置において、その実行する「動作」が関連付けられる「判定対象物の動き」を「判定対象物の移動軌跡」とすることは、引用例２、３の上記摘記箇所にも記載されるように、本願出願前に周知である。
　また、引用発明１の携帯端末が実行する「動作」が関連付けられる「判定対象物の動き」として、上記引用例２、３に示されるような「判定対象物の移動軌跡」を採用できない理由はない。
　してみれば、引用発明１の携帯端末が実行する「動作」が関連付けられる「判定対象物の動き」として、上記引用例２、３に示されるような「判定対象物の移動軌跡」を採用することは、当業者が必要に応じて適宜なし得たことである。
　また、そのようにする場合に、引用発明１のディスプレイに描画される「入力を受け付けた結果」についても「判定対象物の移動軌跡」とすることは当業者が容易に想到し得たことである。このことは、引用例２に、「受け付けられた判定対象物の移動軌跡」といえる「入力パターン」を表示するようにすることが示されているという事実によっても裏付けられる。
　以上のことは、引用発明１において、上記相違点１に係る本願発明の構成を採用することが当業者にとって容易であったことを意味している。
　
（相違点２）について
　複数の判定対象物の動きを用いて、該動きに関連付けられた複数の動作を行う装置において、ガイダンス情報の表示を行うことは、引用例３により公知である。
　そして、引用発明１においては、複数の動きに応じて、複数の動作が割り当てられており、引用例３に示されるようなガイダンス情報が有用であることは明らかであり、また、引用発明１における表示部に該ガイダンス情報が表示できないものでもない。さらに、判定対象物の動きをディスプレイ表示することは入力された動きの結果を表示するものであり、一方、ガイダンスは、入力を行おうとする動作に対応する動きを案内するものであり、両者が並列的に表示できないものでもない。
　してみれば、引用発明１において引用例３に示されるガイダンス情報を表示する技術を適用して、操作ガイダンス情報を出力することは、当業者が容易に想到し得たものである。
　
（相違点３）について
　引用発明１の「携帯通信端末」に通常のテンキーも入力手段として設けられていることは明らかであり、してみれば、引用発明１の「携帯通信端末」においては、当然、テンキーを利用した入力モードからＣＣＤカメラを利用した入力モードへ移行させる際には移行指示が行われているものである。
　そして、ＣＣＤカメラを利用した入力モードを開始するためには、カメラの起動と移行指示の両方が行われればそれで足りることも明らかであり、カメラの起動のタイミングを、遠隔動作モードへの移行指示の受け付けの前とするか、後とするかは、当業者が設計時に適宜選択なし得たものである。
　また、本願の発明の詳細な説明において「モード」に関する記載としては、「カメラ操作モード」、「遠隔操作モード（カメラ操作モード）」、「カメラ操作モード」、及び「手指の動きの記録モード」しかなく、本願発明における「カメラを利用した遠隔動作モード」は「カメラ操作モード」に対応するものと考えられるが、「移動軌跡による入力モード」に対応する記載はない。しかしながら、「カメラ操作モード」の中で移動軌跡による入力が行われものであるから、「移動軌跡による入力モード」は「カメラを利用した遠隔動作モード」と同じ「モード」であるか、その一部であると認められ、いずれにしろ、「カメラを利用した遠隔動作モード」へ移行がなされれば、「移動軌跡による入力モード」に移行がなされることは明らかである。
　してみれば、引用発明１において、カメラが起動された状態で、前記カメラを利用した遠隔動作モードへの移行指示を受け付けることにより、前記判定対象物の移動軌跡による入力モードを開始することは、当業者が容易に想到し得たものである。
　
（相違点４）について
　引用発明１において、ＣＣＤカメラを利用した入力モードでは、常にＣＣＤカメラからの入力が行われてしまうので、必要とする時以外はＣＣＤカメラを利用した入力モードとするとは考えられず、ＣＣＤカメラを利用した入力モードは利用の必要がなくなった際には終了させることは明らかである。　また、判定対象物の動きを用いて動作制御を行う装置において、判定対象物の動きを終了に関する動作に関連付けることは、周知の技術（例えば、特開２００３−１３１７８５号公報（特に、段落【０１４７】、【０１８１】等参照）、特開２００５−２７５６５２号公報（例えば、段落【０１３４】、段落【０１５２】、図１６、図１７等参照）、特開平７−１３６７６号公報（特に、段落【００７１】、【表４】等参照）等参照。）である。
　そして、引用発明１においては、カメラによる入力モードに移行された際には、カメラによる入力モードでの入力がもっぱら行われるものであり、その終了もカメラによる入力で行うようにするのが自然の発想である。
　してみれば、引用発明１において、周知の技術を適用して、入力モードの終了に対応する所定の判定対象物の動きを設定して、該所定の判定対象物の移動軌跡を入力することにより、前記判定対象物の移動軌跡による入力モードを終了することは、当業者が容易に想到し得たものである。
　
　そして、本願発明の効果も、引用例１に記載された発明、引用例２、及び引用例３から想到される構成から当業者が予想できる範囲のものである。
　
　
５．むすび
　
　以上のとおりであって、本願発明は、上記引用例１に記載された発明、引用例２、及び引用例３、並びに周知の技術に基づいて当業者が容易に発明をすることができたものであるから、特許法第２９条第２項の規定により特許を受けることができない。
　　
　よって、結論のとおり審決する。